Podtech/llm-jp-corpus-v4-ja_patent huggingface dataset:
(57)【要約】      （修正有）【課題】携帯が容易で折れ目や型崩れがせず、又、旅行先等の雰囲気や衣装、天候に合った帽子に容易に変えられ、しかも、通気性が良く、更に、鍔部を日差し帽としても使用可能で、且つ、帽子サイズをも容易に調整可能な特殊な帽子を提供する。【解決手段】後部に切り欠け部を設けた帽子本体１に、両端を開放した略円形或いは略馬蹄形のような帯状の鍔体２を脱着可能に取り付け、更に、帽子本体の切り欠け部下部で鍔体の両端部が重ね合っている帽子を提供する。【選択図】図２
0003120898.tif 000002
【実用新案登録請求の範囲】
【請求項１】
帽子本体に、両端を開放した略円形或いは略馬蹄形のような帯状の鍔体を脱着可能に取り付けたことを特徴とした帽子。
【請求項２】
後部に切り欠け部を設けた帽子本体に、両端を開放した略円形或いは略馬蹄形のような帯状の鍔体を脱着可能に取り付け、更に、前記帽子本体の切り欠け部で前記鍔体の両端部が重ね合っていることを特徴とした帽子。
【請求項３】
請求項１又は２記載の帽子において、帽子本体と鍔体とをファスナーとかボタン又はリングとボタン又はスナップ等によって脱着可能に取り付けられていることを特徴とした帽子。
【考案の詳細な説明】
【技術分野】
【０００１】
本考案は帯状をした鍔体を帽子本体に脱着可能に取り付けた帽子に関するものである。
【背景技術】
【０００２】
従来の帽子には帽子本体に環状の鍔体を脱着可能に取り付ける帽子も提案されているが、しかし、市販されている帽子は、帽子本体と鍔体とが縫製されているのが主体である。
【考案の開示】
【考案が解決しようとする課題】
【０００３】
従来の帽子ではカバン等に入れて持ち歩きすると鍔部に折れ目や、又は、型崩れ等が生じて着帽するには気になる等の問題があった。しかし、これに対応する帽子は見当たらないし、更に、数種の帽子を少ないスペースで同時に携帯する手段等も見当たらない。
この様な状況の中でも、前述のように帽子本体に環状の鍔体を脱着可能に取り付けた帽子は提案されているが、この提案されている帽子は環状の鍔体を変えることによって色、型、素材の異なる帽子を提供することが主目的であって、折れ目をなくす等の思想は存在しない。
そこで、本考案は携帯が容易で折れ目や形崩れがせず、又、旅行先等の雰囲気や衣装、気候に合った帽子に容易に変えられ、しかも、通気性がよく、更に、鍔部を日差し帽としても使用可能で、且つ、帽子のサイズをも容易に調整可能な特殊な帽子を提供するものである。
【課題を解決するための手段】
【０００４】
本考案は、上記の問題を鑑みて次のような構成をした帽子を提供する。
１．  基本的な帽子の特徴は、帽子本体（１）の下端部（１１）に、両端を開放した略円形或いは略馬蹄形のような帯状にした鍔体（２）を脱着可能に取り付けられ、更に、帽子本体に前記帯状の鍔体を巻き付けたときに端部（２１）（２２）が重なり合うことが特徴とした帽子である。
２．  帽子本体の後部に切り欠け部（１２）を設けることもできる。
３．  脱着の手段としては、オープンファスナーや面ファスナー又はボタンやリング等を用いる。
尚、  取り付け部を外観から見えなくするには、帽子本体の表地と裏地の間に前記ファスナー等を取り付けることも可能な帽子である。
４．鍔体の両端部の重ね合わせ部には面ファスナーやボタン、スナップ等を取り付け両端部を止める。
【考案の効果】
【０００５】
本考案の最大の特徴とするところは、両端を開放した略円形或いは略馬蹄形のような帯状の鍔体と、帽子本体の後部に切り欠け部が設けてあることである。
この様な帽子本体と鍔体とを使用することによって、次のような本考案特有の顕著な効果が生じる。
１．両端を開放した帯状の鍔体であるので、鍔体を巻いて保管でき、又は、巻くことによって鍔体に折り目や型崩れが生じない。更に、その保管スペースも少なくてよい。
２．色彩や素材、形状等が異なる数本の鍔体を携帯できるので、旅行先や衣装や天候等に合った帽子に作り変えられる。
３．日差し強い時には、鍔体のみを使用すれば、日差し帽としても利用できる。
４．帽子本体の後部に切り欠け部を設け、更に、鍔体の両端部を重ね合わせることによって、帽子全体の大きさを容易に調整できる。
この結果、帽子を深く、又は浅く着帽できるし、又は、強風時には鍔体の重ね部を多く取れば、強く帽子本体を締め付けることが出来るので、吹き飛ばされることもない。
５．帽子本体の後部に切り欠け部を設けることによって、通気性がよくなり快適な帽子になる。
【考案を実施するための最良の形態】
【０００６】
図１は、本考案の実施例で帽子本体と両端を開放した略円形のような帯状の鍔体を示す。
帽子本体（１）の下部（１１）にはオープンファスナー（３）を縫い付け、更に、帽子本体（１）の後部には切り欠け部（１２）を設けた。
又、帯状の鍔体（２）の両端部には面ファスナー（４）を装着し、両端部を重ね合わせるようにした。
図２は図１に示す、帽子本体（１）と鍔体（２）とをオープンファスナー（３）で取り付けた状態の斜視図を示す。
【０００７】
図３は、帽子本体（１）と鍔体（２）とを面ファスナー（４）で表地（１３）と裏地（１４）間に取り付けた状態の断面図を示す。
図４は、両端を開放した略馬蹄形のような鍔体でボタン付けした平面図を示す。
図５は、帯状の鍔体を巻き付け状態を示す斜視図で、このように巻いた状態でカバンの中に入れれば折り目や型崩れが生じなく。又、保管スペースが少なくてよい。
図６は、鍔体のみを使用して、日差し帽として利用した使用参考図である。
【図面の簡単な説明】
【０００８】
【図１】本考案の帽子本体と鍔体との実施例を示す斜視図である。
【図２】本考案の帽子本体に鍔体を取り付けて成る帽子の斜視図である。
【図３】本考案の帽子本体の裏地と表地間に鍔体を取り付けた状態を示す断面図である
【図４】本考案の他の鍔体の例を示す平面図である
【図５】本考案の鍔体を巻いた状態を示す斜視図である
【図６】本考案の鍔体を日差し帽として使用している参考図である。
【符号の説明】
【０００９】
１    帽子本体
１１  帽子本体の下部
１２  帽子本体後部の切り欠け部
１３  帽子本体の表地
１４  帽子本体の裏地
２    帯状の鍔体
２１  帯状の鍔体端部
２２  帯状の鍔体端部
３    オープンファスナー
４    面ファスナー
５    ボタン
６    日差し帽
【図１】
0003120898.tif 000003
【図２】
0003120898.tif 000004
【図３】
0003120898.tif 000005
【図４】
0003120898.tif 000006
【図５】
0003120898.tif 000007
【図６】
0003120898.tif 000008
(57)【要約】【課題】  この考案は、動きが楽で、外見からの見た目もよいシャツの構造を開発・提供するものである。【解決手段】  シャツの一例として、半袖ポロシャツの例をとって説明すると、伸縮性を有する生地を用いたシャツであって、シャツ本体（１）の前身頃（Ｘ）と後身項（Ｙ）とのそれぞれ間に、全体の形状が、下方がやや幅広で上方に進むに従って狭くなるテーパ帯状の襠（２）（２）を介してそれぞれ縫着し、これら襠（２）（２）の上端部（２ａ）は、袖部（３）（３）にそれぞれ入り込むよう構成して縫着し、また、前身頃（Ｘ）の肩部には、型合わせのハギ（４）（４）を設け、該ハギ（４）（４）の端部が前身頃（Ｘ）の首部付近の両側に表れることを特徴とするシャツの構造から構成されるものである。【選択図】      図１
0003120885.tif 000002
【実用新案登録請求の範囲】
【請求項１】
伸縮性を有する生地を用いたシャツであって、シャツ本体（１）の前身頃（Ｘ）と後身項（Ｙ）とのそれぞれ間に、帯状の襠（２）（２）を介してそれぞれ縫着し、これら襠（２）（２）の尖鋭上端部（２ａ）は、袖部（３）（３）にそれぞれ入り込むよう構成して縫着し、また、前身頃（Ｘ）の両肩部には、後身頃（Ｙ）のそれぞれ上部両端を延長して型合わせのハギ（４）（４）を設け、該ハギ（４）（４）の端部が前身頃（Ｘ）の首部付近の両側に表示することを特徴とするシャツの構造。
【考案の詳細な説明】
【技術分野】
【０００１】
この考案は、シャツの構造に関するものである。
【背景技術】
【０００２】
従来、シャツには、種々種類があり、例えば、ハイネックのシャツ、Ｔシャツ、ポロシャツ等があり、しかも、これらのシャツには、さらに、長袖のものと半袖のものがあるが、これらのシャツは、フォーマルな性質の被服ではなく、スポーツやプライベートな遊び着的に着用するものである。
【０００３】
そして、これらのシャツのうち、ポロシャツは、身体が動きやすいように少しゆったり形成されており、着用している人の体型と離れすぎた形状に形成すると、体裁が悪く、また、逆にフィットするよう設けられたものでは、体裁はよいが、身体とシャツとの間に、ゆとりがなく、着用した際に窮屈であるという欠点がある。
【０００４】
そのため、シャツにおいて、身頃部と袖部との間に、動き易くするため、伸縮性に優れたメッシュ素材を入れたものは存在する。例えば、特許文献１のように。
【特許文献１】特開２０００−１２９５１２号公報
【０００５】
しかし、上記の特許文献１に示すシャツは、肩付近から腋部分だけのものであり、首筋付近の動きには関係のないものであった。
【考案の開示】
【考案が解決しようとする課題】
【０００６】
そのため、これらのシャツに対して、着用した際に、動きが楽でリラックスでき、しかも、着用した際に、見た目にも体裁がよく、動きの楽なシャツの構造を開発・提供することにある。
【課題を解決するための手段】
【０００７】
この考案は、課題を解決するための手段として、前身頃と後身頃との間に、襠を入れるとともに、袖部にも前記襠に連続した上端部を介して縫着し、かつ、肩部付近にはハギを入れることにより、身動きを楽にするシャツの構造としたものである。
【考案の効果】
【０００８】
この考案によると、シャツ本体の伸びに余裕ができ、着用しても楽であり、また、前身頃と後身頃との間に、それぞれ襠を設けたため、見た目に体裁もよい等の効果を奏する。
【０００９】
さらに、前身頃の首両側部にハギを設けたため、見た目に体裁もよいし、首・肩部の動きが楽になるという効果を奏する。
【考案を実施するための最良の形態】
【００１０】
そこで、この考案によると、前身頃と後身頃との間に襠を設けることにより、楽に動作でき、さらに、肩部にハギを設けることにより、やはり、肩・首部も動きやすくなるよう構成したシャツの構造としたものである。
【実施例】
【００１１】
この考案に関して一実施例を図面に基づいて説明すると、シャツの一例として、半袖ポロシャツの例をとって説明すると、伸縮性を有する生地を用いたシャツであって、シャツ本体（１）の前身頃（Ｘ）と後身項（Ｙ）とのそれぞれ間に、全体の形状が、下方がやや幅広で上方に進むに従って狭くなるテーパ帯状の襠（２）（２）を介してそれぞれ縫着し、これら襠（２）（２）の上端部（２ａ）は、袖部（３）（３）にそれぞれ入り込むよう構成して縫着し、また、前身頃（Ｘ）の肩部には、型合わせのハギ（４）（４）を設け、該ハギ（４）（４）の端部が前身頃（Ｘ）の首部付近の両側に表れることを特徴とするシャツの構造から構成されるものである。
【００１２】
従って、他のシャツであってもよく、また、袖は長袖であってもよいものであり、又、図面に示す（５）は、胸ポケット、（６）は、襟であり、（Ｚ）は、縫い糸である。
【産業上の利用可能性】
【００１３】
これらのシャツの製造技術を確立することにより、この技術に基づいて、製造・販売することにより、産業上の利用可能性を有する。
【図面の簡単な説明】
【００１４】
【図１】この考案の一実施例を示す正面図である。
【図２】この考案の一実施例を示す背面図である。
【図３】この考案の一実施例を示し、袖部を上げた状態の説明図である。
【図４】この考案の一実施例を示す一部欠截平面図である。
【符号の説明】
【００１５】
１  シャツ本体
２  襠
２ａ  襠の上端部
３  袖部
４  型合わせのハギ
５  胸ポケット
６  襟
Ｘ  前身頃
Ｙ  後身項
Ｚ  縫い糸
【図１】
0003120885.tif 000003
【図２】
0003120885.tif 000004
【図３】
0003120885.tif 000005
【図４】
0003120885.tif 000006
(57)【要約】【課題】広告効果が大きいアーチ用垂れ幕を得る。【解決手段】自動車１の上方を囲むように、アーチ状ポール２が円弧状に張り渡されている。アーチ状ポール２には造花等の装飾部材５が取り付けられている。自動車１の上部とアーチ状ポール２の上方の間隙にカラフルなアーチ用垂れ幕６が配置され、アーチ状ポール２に取り付けられている。アーチ用垂れ幕６の上縁７はポール２の円弧に沿った円弧状とされ、下縁８は例えば波形状とされ、アーチ用垂れ幕６には「お買い得車」などのキャッチフレーズが印刷されている。【選択図】図１
0003120881.tif 000002
【実用新案登録請求の範囲】
【請求項１】
広告用アーチ状ポールの上部に取り付けるためのシート状のアーチ用垂れ幕であって、上部を前記アーチ状ポールに合わせた円弧状とし、該円弧状の上縁を前記アーチ状ポールに取り付けたことを特徴とするアーチ用垂れ幕。
【請求項２】
前記上縁に沿って複数個のはとめ金具による取付孔を設け、該取付孔を取付具を介して前記アーチ状ポールに係止したことを特徴とする請求項１に記載のアーチ用垂れ幕。
【請求項３】
表面に広告文字を印刷したことを特徴とする請求項１に記載のアーチ用垂れ幕。
【考案の詳細な説明】
【技術分野】
【０００１】
本考案は、販売品の上部に配置した広告用アーチ状ポールに取り付けるためのアーチ用垂れ幕に関するものである。
【背景技術】
【０００２】
自動車販売店などにおいて、販売車を店頭に並べる場合に、販売車の上にアーチ状ポールを張り渡し、このアーチ状ポールに造花等を取り付け、客の注意を惹き付けるようにすることがある。
【考案の開示】
【考案が解決しようとする課題】
【０００３】
本考案の目的は、アーチ状ポールに取り付け、広告効果が大きいアーチ用垂れ幕を提供することにある。
【課題を解決するための手段】
【０００４】
上述の目的を達成するための本考案に係るアーチ用垂れ幕の技術的特徴は、広告用アーチ状ポールの上部に取り付けるためのシート状のアーチ用垂れ幕であって、上部を前記アーチ状ポールに合わせた円弧状とし、該円弧状の上縁を前記アーチ状ポールに取り付けたことにある。
【考案の効果】
【０００５】
本考案に係るアーチ用垂れ幕によれば、販売品の上部とアーチ状ポールとの空間を利用して、顧客の注意力を惹き付けることができる。
【考案を実施するための最良の形態】
【０００６】
本考案を図示の実施例に基づいて詳細に説明する。
【実施例１】
【０００７】
図１は例えば自動車販売店の店頭での使用状態の斜視図を示している。販売すべき自動車１の上方を囲むように、アーチ状ポール２が円弧状に張り渡されている。アーチ状ポール２は金属又は合成樹脂製の管体から成り、その両端はポール立て３に挿入され、ポール立て３の下部の板部４が自動車１のタイヤにより下敷することにより、安定して保持されている。そして、アーチ状ポール２には造花等の装飾部材５が取り付けられている。
【０００８】
自動車１の上部とアーチ状ポール２の上方の間隙にシート状のアーチ用垂れ幕６が配置され、アーチ状ポール２に取り付けられている。アーチ用垂れ幕６はカラフルな合成樹脂シート或いは布地から成り、上縁７はアーチ状ポール２の円弧に沿った円弧状とされ、下縁８は例えば波形とされ、更にアーチ用垂れ幕６の表面には「お買い得車」などのキャッチフレーズが印刷されている。
【０００９】
このアーチ用垂れ幕６は布地、合成樹脂シート、不織布などを適宜選択することができる。
【００１０】
図２はアーチ用垂れ幕の取り付け方法の説明図を示している。垂れ幕６の上縁７に沿った複数個所にははとめ金具による孔部９が設けられ、この孔部９に合成樹脂製のＳ字状フック１０などを介して、アーチ状ポール２に吊り下げられている。なお、この掛止には紐を用いてアーチ状ポール２に結びつけてもよい。
【００１１】
このアーチ用垂れ幕６は、例えば自動車１の上方のアーチ状ポール２との間隙を有効に利用して配置されているため、大きな広告効果を発揮する。更に、風などが吹くと、このアーチ用垂れ幕６がなびき、より一層目立ち、広告効果も増大する。
【実施例２】
【００１２】
なお、アーチ用垂れ幕６の下縁８の形状は、図１に示すような形状以外に、図３（ａ）〜（ｉ）に示すような種々の形状を採用することができる。
【図面の簡単な説明】
【００１３】
【図１】使用状態の斜視図である。
【図２】垂れ幕の取付方法の説明図である。
【図３】アーチ用垂れ幕の変形例の正面図である。
【符号の説明】
【００１４】
１  自動車
２  ポール
３  ポール立て
４  板部
５  装飾部材
６  アーチ用垂れ幕
７  上縁
８  下縁
【図１】
0003120881.tif 000003
【図２】
0003120881.tif 000004
【図３】
0003120881.tif 000005
(57)【要約】【課題】未使用の折り畳んだ状態では、把手が袋本体から突出せず、しかも、ばたついて邪魔になることも無く、製造が容易な把手付袋の提供。【解決手段】上端が開口した袋本体１と、袋本体１の外面上部において、開口部１ａを挟んで対向した位置にそれぞれ装着された把手２とを有し、把手２の両端部分を袋本体１の外面に固定すると共に、中間部を外側下方へ折り返し、折り返し部分の先端を袋本体１の外面に弱接着剤６を介して接着してある。【選択図】図１
0003120888.tif 000002
【実用新案登録請求の範囲】
【請求項１】
上端が開口した袋本体と、該袋本体の外面上部において、開口部を挟んで対向した位置にそれぞれ装着された把手とを有し、前記把手の両端部分を前記袋本体の外面に固定すると共に、中間部を外側下方へ折り返し、折り返し部分を前記袋本体の外面に弱接着剤を介して接着したことを特徴とする把手付袋。
【考案の詳細な説明】
【技術分野】
【０００１】
本考案は、把手付袋に関する。
【背景技術】
【０００２】
購入した商品等を入れて運ぶために、上端が開口した袋本体の上部両側にそれぞれ把手を取り付けた紙袋を用いることが多い。
このような紙袋の把手は、把持しやすいように袋本体の上端よりも上方へ突出しているので、製袋後に多数積み重ねると袋本体からばらばらに突き出して、運搬や収納の邪魔になる。
そこで、未使用時には、把手の先端部が袋本体から突出しないように外側下方へ折り返し、使用する時に把手を起立させる紙袋が提案されている（特許文献１参照）。
しかし、把手は単に折り返してあるだけなので、移動させたり積み重ねる際に、ばたついたり、袋本体の上端から突出して、結局従来の紙袋のように邪魔になる虞がある。
【０００３】
【特許文献１】欧州特許第０７８１７１０号明細書
【考案の開示】
【考案が解決しようとする課題】
【０００４】
本考案が解決しようとする課題は、未使用の折り畳んだ状態では、把手が袋本体から突出せず、しかも、ばたついて邪魔になることも無く、製造が容易な把手付袋を提供することにある。
【課題を解決するための手段】
【０００５】
本考案の把手付袋は、上端が開口した袋本体と、該袋本体の外面上部において、開口部を挟んで対向した位置にそれぞれ装着された把手とを有し、前記把手の両端部分を前記袋本体の外面に固定すると共に、中間部を外側下方へ折り返し、折り返し部分を前記袋本体の外面に弱接着剤を介して接着してある。
【考案の効果】
【０００６】
本考案によれば、未使用の折り畳んだ状態では、把手が折り返されて袋本体に接着されているので、運搬や収納の際に、把手がばたついたり、袋本体の上端から突出して邪魔になる心配が無く、把手の折り返し部分は弱接着剤により接着されて剥がれやすいので、使用時には簡単に引き起こすことができる。
また、把手の両端部分及び折り返し部分がいずれも袋本体の表面に接着されているので、製造が容易である。
【考案を実施するための最良の形態】
【０００７】
以下、本考案の実施例を図面に基づいて詳細に説明する。
本考案の把手付袋は、図１及び図２に示すように、上端が開口した筒状の袋本体１と、袋本体１の外面上部において、上端の開口部１ａを挟んで対向した位置にそれぞれ装着された把手２とを有する。
袋本体１は、紙等を素材とし、下端は角底３が形成されて閉鎖され、両側は襞折りされて未使用状態では平らに折り畳まれている。
【０００８】
把手２は、紙等を素材とする平らな帯紐より成り、左右の脚部４の上端間に握り部５を架設した略門形に折り曲げてある。
また、把手２は、その両端部分、即ち、脚部４の下部が袋本体１の外面に比較的強い接着力のある接着剤を介して固定されている。
さらに、図１に示すように、把手２の袋本体１に対する固定部分２ａを除いた中間部は外側下方へ折り返され、折り返し部分の先端両側（脚部４と握り部５との屈曲角部）が弱接着剤６を介して袋本体１の外面に接着されて、把手２が袋本体１の上端から突出しないようになっている。
【０００９】
この把手付袋を使用する際には、把手２の折り返し部分の先端を上方へ引き上げれば、弱接着剤６によって接着された個所は簡単に剥がれ、容易に把手２を起立させて、袋本体１の上縁よりも突出させることができる。
なお、袋本体及び把手の形状、素材は、袋本体の上部開口を挟んだ位置に装着された把手を折り返して、弱接着剤で袋本体へ接着できるものであれば、上記実施例に限定されない。
【図面の簡単な説明】
【００１０】
【図１】本考案の実施例を示す把手付袋の使用前の平面図。
【図２】本考案の実施例を示す把手付袋の使用時の斜視図。
【符号の説明】
【００１１】
１  袋本体
１ａ  開口部
２  把手
２ａ  固定部分
３  角底
４  脚部
５  握り部
６  弱接着剤
【図１】
0003120888.tif 000003
【図２】
0003120888.tif 000004
(57)【要約】【課題】マンホールのマンホ―ル躯体内周壁にマンホ―ル用中間スラブを簡単・自在に設置することができ、コストの削減にもつながると共に作業者の安全性にも優れたマンホ―ル用中間スラブを提供する。【解決手段】マンホ―ル用中間スラブ１が本体２と開口蓋４とボルトアンカー５とから構成され、前記本体が、グレ―チング６とスラブ取付部７と前記開口蓋を載置するための受枠８とで一体に成形されていることを特徴とするマンホ―ル用中間スラブ。【選択図】図２
0003120846.tif 000002
【実用新案登録請求の範囲】
【請求項１】
マンホ―ルのマンホ―ル躯体内周壁に設置される中間スラブにおいて、中間スラブが本体と開口蓋とボルトアンカーとから成り、前記本体が、グレ―チングとスラブ取付部と前記開口蓋を載置するための受枠とで一体に成形されていることを特徴とするマンホ―ル用中間スラブ。
【考案の詳細な説明】
【技術分野】
【０００１】
本考案は、マンホ―ルのマンホ―ル躯体内周壁に設置される中間スラブの改良に関するものである。
【背景技術】
【０００２】
従来、マンホ―ルのマンホ―ル躯体内周壁に設置される中間スラブとしては、断面L字形周縁部を有する支持板をマンホ―ル躯体内周壁に固定し、該支持板の上に中間スラブを設けたものがある（例えば、特許文献１参照。）。また、中間スラブに形成した開口に開口蓋を載置するための受枠を設けたものがある（例えば、特許文献２参照。）。
【０００３】
【特許文献１】実開昭６１−１４６５５１号公報
【特許文献２】登録実用新案第３００４５７３号公報
【考案の開示】
【考案が解決しようとする課題】
【０００４】
ところで、前記公知のものでは、中間スラブを構成するのに複数個の部材を使用することでコストが高くなると共にマンホールのマンホ―ル躯体内周壁に簡単に中間スラブを設置することが困難であるという問題があった。また、後者の公知のものでは、中間スラブ上の開口蓋を載置するために設けた受枠に段差があり作業者の足が引っかかってしまい安全性に問題があった。
【０００５】
本考案は、従来の技術の有するこのような問題点に鑑みてなされたものであり、その目的とするところは、マンホールのマンホ―ル躯体内周壁に中間スラブを簡単・自在に設置することができ、コストの削減にもつながると共に安全性にも優れたマンホ―ル用中間スラブを提供しようとするものである。
【課題を解決するための手段】
【０００６】
上記目的を達成するために、本考案におけるマンホ―ル用中間スラブは、中間スラブが本体と開口蓋とボルトアンカーとから成り、前記本体が、グレ―チングとスラブ取付部と前記開口蓋を載置するための受枠とで一体に成形されていることを特徴とするものである。
【考案の効果】
【０００７】
本考案のマンホ―ル用中間スラブは、中間スラブが本体と開口蓋とボルトアンカーとから成り、前記本体が、グレ―チングとスラブ取付部と前記開口蓋を載置するための受枠とで一体に成形されているので、マンホ―ルのマンホ―ル躯体内周壁に中間スラブを簡単・自在に設置することができ、コストの削減にもつながると共に作業者の安全性にも優れたものとなる。
【考案を実施するための最良の形態】
【０００８】
図１及び図２は本考案の一実施例に関するものであり、図１は本考案に係るマンホ―ル用中間スラブの斜視概略図、図２はマンホ―ル躯体内周壁に中間スラブを設置した一部断面側面図である。
【０００９】
図において、１はマンホ―ル用中間スラブであり、該中間スラブ１は平面視環状円形の本体２と、本体２に形成された昇降用孔３に載置する開口蓋４と、本体２をマンホ―ル躯体内周壁Wに固定するボルトアンカー５，５, …とで構成されている。
【００１０】
前記本体２は例えば格子状に形成されたグレ―チング６と、該グレ―チング６の外周側面に複数箇所（例えば４箇所）設けられマンホ―ル躯体内周壁Wに前記ボルトアンカー５，５, …で固定させるスラブ取付部７，７, …と、前記開口蓋４を載置するための受枠８とで、硬質合成樹脂材により一体に成形されている。
【００１１】
前記開口蓋４は平面視円形状で全体が格子状に硬質合成樹脂材により形成されている。
【００１２】
前記各スラブ取付部７にはマンホ―ル躯体内周壁Wに埋め込まれたボルトアンカー５，５, …で固定される複数の（例えば３個）のアンカー挿入孔９，９, …が形成されている。
【００１３】
前記受枠８は前記開口蓋４が載置された状態で本体２の上面に段差がないように断面視L字状に形成されている。
【００１４】
以上の構成からなるマンホ―ル用中間スラブ１において、本体２を硬質合成樹脂材によりグレ―チング６とスラブ取付部７，７, …と受枠８とを一体に成形することでコストの削減につながり、部材数の減少で運搬，設置作業も容易にできるようになる。
マンホールの内部には複数の中間スラブ１が一定間隔に設置されているが、該中間スラブ１を設置する場所のマンホ―ル躯体内周壁Wにボルトアンカー５，５, …を打ち込み、ボルトアンカー５のねじ部分をマンホール内面に突出させるようにする。そして、本体２に形成されたスラブ取付部７のアンカー挿入孔９にパッキン１０を介して前記ボルトアンカー５のねじ部分を挿着したあと、突出してるネジ部分に固定ナット１１とを螺合させることにより本体２はマンホ―ル躯体内周壁に簡単・容易に自在に固定することができる。
【００１５】
そして、本体２がマンホ―ル躯体内周壁Wに固定された後、開口蓋４を本体２に形成された受枠８に載置させて、マンホ―ル用中間スラブ１はマンホール内に設置される。受枠８が本体２に一体成形されていることから、開口蓋４を本体２に載置しても段差はできず例えば作業者がマンホ―ル用中間スラブ１上に乗っても段差でつまずくこともなく安全に作業ができるものとなる。
【図面の簡単な説明】
【００１６】
【図１】図１は本考案に係るマンホ―ル用中間スラブの斜視概略図である。
【図２】図２はマンホ―ル躯体内周壁に中間スラブを設置した一部断面側面図である。
【符号の説明】
【００１７】
１    マンホ―ル用中間スラブ
２    本体
４    開口蓋
５    ボルトアンカー
６    グレ―チング
７    スラブ取付部
８    受枠
W    マンホ―ル躯体内周壁
【図１】
0003120846.tif 000003
【図２】
0003120846.tif 000004
(57)【要約】【課題】  鋳型に溶融鉛を注入して鉛蓄電池用格子基板等を鋳造する際に用いる鋳造用注湯装置において、注湯後の注湯装置の湯口に湯垂れが生じることを簡単な構造により解消すること。【解決手段】  溶融鉛を鋳型へ注ぎ込む為の鋳造用注湯装置において、該注湯装置の湯口の周縁壁端面を内方へ傾斜する傾斜面としたことを特徴としたもので、更には、湯口形状をＵ字状或いはＶ字状としたり、注湯装置の湯口側側面を断面くの字状に形成し、該折曲がり部に湯口の下端が位置するようにしたものである。この様な簡単な構成により湯口に生じ易い湯垂れを防ぐことが出来る。【選択図】  図１
0003120841.tif 000002
【実用新案登録請求の範囲】
【請求項１】
溶融鉛を鋳型へ注ぎ込む為の鋳造用注湯装置において、該注湯装置の湯口の周縁壁端面を内方へ傾斜する傾斜面としたことを特徴とする鋳造用注湯装置。
【請求項２】
湯口形状をＵ字状或いはＶ字状としたことを特徴とする請求項１記載の鋳造用注湯装置。
【請求項３】
注湯装置の湯口側側面を断面くの字状に形成し、該折曲がり部に湯口の下端が位置するようにした請求項１又は２記載の鋳造用注湯装置。
【考案の詳細な説明】
【技術分野】
【０００１】
本考案は、鉛又は鉛合金を用いて鉛蓄電池用格子基板、ブッシング端子等を鋳造する際に用いられる鋳造用注湯装置に関するものである。
【背景技術】
【０００２】
鉛蓄電池用の格子基板は鉛又は鉛合金を鋳造して得られている。この鋳造には格子形状に刻印された２つの割り鋳型を互いに突合せて形成された空隙内に注湯装置から湯を流し、該鋳型内で固化した後割り鋳型を開いて中から固化した格子基板を取り出して得られる。
【０００３】
図３により鋳造方法を説明すると、加熱された溶解炉ａ中で鉛又は鉛合金が溶解され、溶解された溶融鉛は管ｂにより断面凹状の注湯装置ｃへ送られ、注湯装置ｃを回転傾斜することで該装置ｃ内の溶融鉛はその湯口より鋳型dへ流し込まれて所定形状の格子基板をが鋳造されるものである。なお、図中ｅは管ｂの途中に設けられたバルブで、この開閉により注湯装置ｃ内に所定量の溶融鉛が供給される。
【０００４】
この際に注湯装置ｃを回転傾斜後再び元に戻した時に、該装置ｃの湯口における湯切れが悪いと溶融鉛は湯口近傍に付着して垂れ下がる場合があった。
【０００５】
この問題を解決する為に、従来は該湯口にバーナーにより火炎を当てたり（特許文献１）湯口下端に炭素からなる成型品をそなえたり（特許文献２）してこの湯垂れの発生を防止していた。
【０００６】
【特許文献１】特開昭５４−１２７８４２号公報
【特許文献２】特開昭５４−１２７８４３号公報
【考案の開示】
【考案が解決しようとする課題】
【０００７】
しかし、これら従来の方法では、バーナーや成型品を別途用意する必要があり設備設置が煩わしいと共に設備コストが高騰すると言う問題がある。
【課題を解決するための手段】
【０００８】
本考案はこの問題を解決すべくなされたもので、請求項１の考案は、湯口の周縁壁の端面を内方へ傾斜する傾斜面としたものである。
【０００９】
また、請求項２の考案では、更に湯口の形状として下方の幅を狭くしたＵ字状としたものである。
【００１０】
更に請求項３の考案は、湯口が形成される注湯装置の側面を断面くの字状に形成し、該折曲がり部に湯口の下端が位置するようにしたものである。
【考案の効果】
【００１１】
この様に構成した注湯装置を用いることで、バーナーや別体の成形品を用意することなく、注湯作業中の湯だれを簡単に防止することができる鋳造用注湯装置を提供し得るものである。
【考案を実施するための最良の形態】
【００１２】
本考案の実施の形態を、図面を参照して説明する。
【００１３】
図１は、本考案に1実施形態を示す鋳造用注湯装置の斜視図である。
【００１４】
１は注湯装置で、断面凹部形状をし、その１側面上端に湯口２を複数有している。この構造は従来と同様である。
【００１５】
本考案によれば、該湯口２の周縁壁端面１１を内方へ傾斜する傾斜面としたことを特徴とするものである。
【００１６】
このようにすることで、該注湯装置１内に溶融鉛を注入した後、これを回動して傾斜しその湯口２から鋳型内に溶融鉛を鋳込むに当り、この注湯装置１を再びもとの状態とした時に、湯口部２周縁が傾斜面となっている為に、湯切れが良く、湯が垂れることがなかった。
【００１７】
その際に、図２に示す如く、湯口２の形状を下方の幅を小さくしたＵ字状に形成した時は、溶融鉛が徐徐に細められ、湯切れの最後が湯口２の最下部で行われるため湯切れが特に良かった。なお、湯口形状をＶ字状にしても同様の効果があった。
【００１８】
更に、この注湯装置の湯口２が形成された側面をくの字状に折曲げ、該折り曲げ部１２に湯口２の下端が位置する様にした時は、回動した注湯装置を再びもとの状態とした時に湯口の外に出た溶融鉛は該注湯装置の側面に付着する等のことがなく、良かった。
【図面の簡単な説明】
【００１９】
【図１】本考案の１実施形態である鋳造用注湯装置斜視図である。
【図２】他の実施形態である鋳造用注湯装置斜視図である。
【図３】鋳造方法を説明する説明図である。
【符号の説明】
【００２０】
１      注湯装置
１１    湯口部の周縁壁端面
１２    折曲がり部
２      湯口
【図３】
0003120841.tif 000003
【図１】
0003120841.tif 000004
【図２】
0003120841.tif 000005
(57)【要約】      （修正有）【課題】水出しした茶の飲用に便利な茶漉の提供。【解決手段】管体１の一端を開口状、もう一端を密閉状となし、管体の後部を小径部１１となし、この小径部の表面及び密閉状の端部に、それぞれ規則或いは不規則配列された貫通孔を設けて、管体を瓶体の開口に嵌設できるようにしてなる茶漉１００であり、茶葉より茶を水出しする時、管体により水を含んで開いた茶葉を隔離し、並びに茶水を貫通孔より流出させ、茶を注ぐ時に茶葉が茶水と共に流出するのを防止し、水出しした茶の飲用に便利とした。【選択図】図１
0003120476.tif 000002
【実用新案登録請求の範囲】
【請求項１】
管体の一端を開口状、もう一端を密閉状となし、該管体の後部を小径部となし、この小径部の表面及び密閉状の端部に、それぞれ規則或いは不規則配列された貫通孔を設けて、管体を瓶体の開口に嵌設できるようにし、茶を水出しする時、管体によりふやけた茶葉を隔離し、並びに茶水を貫通孔より流出させ、茶を注ぐ時に茶葉が茶水と共に流出するのを防止し、水出しした茶の飲用に便利としてなる、茶漉。
【請求項２】
請求項１記載の茶漉において、前記管体の小径部をテーパ状に設けたことを特徴とする、茶漉。
【請求項３】
請求項１記載の茶漉において、前記管体の小径部に設けた貫通孔を、円形孔、長方形孔、或いはその他の幾何形状としたことを特徴とする、茶漉。
【考案の詳細な説明】
【技術分野】
【０００１】
本考案は一種の茶漉の構造に係り、特に、茶を水出しする時に、適宜茶葉を隔離し、茶水と共に茶葉が流出するのを防止し、飲用に便利である茶漉に関する。
【背景技術】
【０００２】
近年、多くの実験により、茶を水出しすると湯出しするよりも人体に有益であることが実証されている。これにより、茶の水出しが流行しており、通常は、茶を水出しする時には、冷水を魔法瓶或いは任意の瓶体中に入れ、更に茶葉をそのなかに入れ、一定時間置いて茶葉をふやかせば、茶水を飲用できる。しかし、飲用時に瓶中の茶葉が茶水と共に流出するため、詰まりを形成しやすく、且つ茶水中に茶葉が分散しているため、飲用に不便であり、理想的でなく、このことが茶の水出しの大きな欠点となっている。
【考案の開示】
【考案が解決しようとする課題】
【０００３】
本考案の主要な目的は、一種の茶漉を提供することにあり、それは瓶体の開口に嵌設でき、茶葉に対する隔離を形成し、水出しした茶の飲用に便利であるものとする。
【０００４】
前述の茶漉は、管体の一端を開口状、もう一端を密閉状となし、該管体の後部を小径部となし、この小径部の表面及び密閉状の端部に、それぞれ規則或いは不規則配列された貫通孔を設けて、管体を瓶体の開口に嵌設できるようにし、茶を水出しする時、管体によりふやけた茶葉を隔離し、並びに茶水を貫通孔より流出させ、茶を注ぐ時に茶葉が茶水と共に流出するのを防止し、水出しした茶の飲用に便利としてなるものとする。
【０００５】
前述の茶漉は、そのうち該管体の後部をテーパ状に漸次縮小するよう設けることができるものとする。
【０００６】
前述の茶漉は、そのうち該管体に設けた小径部の複数の貫通孔を、円形、長方形、或いはその他の幾何図形となすことができるものとする。
【課題を解決するための手段】
【０００７】
請求項１の考案は、管体の一端を開口状、もう一端を密閉状となし、該管体の後部を小径部となし、この小径部の表面及び密閉状の端部に、それぞれ規則或いは不規則配列された貫通孔を設けて、管体を瓶体の開口に嵌設できるようにし、茶を水出しする時、管体によりふやけた茶葉を隔離し、並びに茶水を貫通孔より流出させ、茶を注ぐ時に茶葉が茶水と共に流出するのを防止し、水出しした茶の飲用に便利としてなる、茶漉としている。
請求項２の考案は、請求項１記載の茶漉において、前記管体の小径部をテーパ状に設けたことを特徴とする、茶漉としている。
請求項３の考案は、請求項１記載の茶漉において、前記管体の小径部に設けた貫通孔を、円形孔、長方形孔、或いはその他の幾何形状としたことを特徴とする、茶漉としている。
【考案の効果】
【０００８】
本考案の茶漉は、茶葉より茶を水出しする時、管体により水を含んで開いた茶葉を隔離し、並びに茶水を貫通孔より流出させ、茶を注ぐ時に茶葉が茶水と共に流出するのを防止し、水出しした茶の飲用に便利である。
【考案を実施するための最良の形態】
【０００９】
図１、２を参照されたい。本考案は円形管体１を設け、該管体１の一端を開口状を呈するように、もう一端を密閉状を呈するようにし、並びに管体１の後部及び密閉した端部に規則或いは不規則配列を呈する複数の貫通孔１２を設けてなる茶漉１００であって、瓶体の瓶口に嵌設でき、茶の水出し時にふやけた茶葉を隔離し、茶水を貫通孔１２より流出させ、茶水の飲用に供することができる。
【００１０】
図３に示されるように、本考案を使用する時には、まず、瓶体２（魔法瓶或いはその他の瓶体）内に冷水を入れ、茶葉３を該冷水中に入れ、更に茶漉１００を瓶体２の瓶口２１に嵌設し、その前端を緊密に瓶口２１の内周に９嵌合させ、小径部１１を瓶体２内に延伸し、茶葉３を一定時間浸漬させれば、飲用に供することができる。
【００１１】
図４に示されるように、本考案は茶水を飲用する時、茶葉３がすでにふやけているため、茶水を注ぐ時に、茶葉が管体１の隔離を受け、茶水が貫通孔１２を通り瓶口２１より流出し、ゆえに茶葉３が茶水と共に流出することがなく、飲用時に相当に便利である。
【００１２】
図５に示されるように、本考案の管体１の小径部１１はテーパ状に設けることができ、同様に瓶体の開口に嵌設可能であり、また図６に示されるように、本考案の小径部１１の貫通孔１２は、長孔１２ａとすることができ、同様に茶葉を隔離する効果を達成できる。当然、これら貫通孔１２は、方形、菱形、三角形等、その他の幾何形状に設けることが可能である。
【００１３】
総合すると、本考案は、管体に貫通孔を設け、管体を瓶体の瓶口に嵌設できるようにして、茶葉隔離の作用を構成してなり、水出しした茶水の飲用に便利であり、実用性、新規性を有する考案である。
【図面の簡単な説明】
【００１４】
【図１】本考案の立体図である。
【図２】本考案の断面図である。
【図３】本考案の瓶体への嵌設を表示した実施例図である。
【図４】本考案の使用実施例図である。
【図５】本考案の別の実施例の立体図である。
【図６】本考案の別の実施例の立体図である。
【符号の説明】
【００１５】
１  管体        ２  瓶体        ３  茶葉        １１  小径部
２１  瓶口      １２ａ  長孔      １００  茶漉
【図１】
0003120476.tif 000003
【図２】
0003120476.tif 000004
【図３】
0003120476.tif 000005
【図４】
0003120476.tif 000006
【図５】
0003120476.tif 000007
【図６】
0003120476.tif 000008
(57)【要約】      （修正有）【課題】乗り物の腰掛の背もたれ上部に枕を固定するために、枕に着脱シートを取り付けた乗り物用枕の提供。【解決手段】背もたれの上部に既設され、汚れ防止シートを取り付けてある面ファスナーを利用して、これに枕に取り付けた着脱シート１を噛み合わせて、枕（枕の底部２，枕の側部３）を乗り物の腰掛の背もたれ上部に固定出来るよう考案した。枕が動かないので、頭を安定させることが出来る。【選択図】図１
0003120427.tif 000002
【実用新案登録請求の範囲】
【請求項１】
枕を乗り物の腰掛の背もたれ上部に固定させるため、面ファスナーを使用した着脱シートを取り付けた枕。
【請求項２】
枕に取り付けられている着脱シートが、ループ（輪状）面の面ファスナーで構成されている請求項１に記載されている枕。
【請求項３】
枕に取り付けられている着脱シートが、ループ（輪状）面とフック（かぎ状）面の面ファスナーが、入り混じって構成されている請求項１に記載されている枕。
【請求項４】
枕に取り付けられている着脱シートが、フック（かぎ状）面の面ファスナーで構成されている請求項１に記載されている枕。
【請求項５】
枕に取り付けられている着脱シートが、凹、凸の面ファスナーで構成されている請求項１に記載されている枕。
【請求項６】
枕の中央部が凹状になっている乗り物用枕。
【考案の詳細な説明】
【技術分野】
【０００１】  本考案は、乗り物の腰掛の背もたれ上部に枕を固定するために、枕に着脱シートを取り付けた乗り物用枕に関するものである。
【背景技術】
【０００２】  従来の乗り物用枕は、首をはめ込むものか、首に巻きつけるものか、頭を乗せるだけのものが多く、枕を背もたれに固定させる機能を持った枕は殆どなかった。
【考案の開示】
【考案が解決しようとする課題】
【０００３】  乗り物に乗っている時は、殆どが腰掛に座っているのであるから、首をはめ込んだり、首に巻きつけた枕は、睡眠中、無意識のうちに頭が左右もしくは前方へ傾いたりすると枕が頭と一緒に動くので頭は安定しない。頭を乗せるだけの枕は、頭から枕が外れたり、場合によっては枕が下に落ちてしまう。乗り物が激しく揺れた場合も同じような状態となる。
従って、枕が固定されていないと頭が安定せず、疲れを癒したり、快眠をとる事は出来ない。
【課題を解決するための手段】
【０００４】  そこで、本考案は、その欠点を除き、快眠をとることが出来るように考案したものである。
枕を腰掛の背もたれ上部に固定するため、枕にループ（輪状）面の面ファスナーを使用した着脱シート、又はループ（輪状）面とフック（かぎ状）面が入り混じったった面ファスナーを使用した着脱シート、又はフック（かぎ状）面の面ファスナーを使用した着脱シート、又は凹凸の面ファスナーを使用したいずれかの着脱シートを枕に取り付け、枕を腰掛の背もたれに固定させることとしたものである。
現在、殆どの乗り物の背もたれの上部には、フック（かぎ状）面の面ファスナーが取り付けられている。そこに、汚れ防止のためのシート（以下汚れ防止シート）に取り付けられているループ（輪状）面の面ファスナーとが噛み合わされて、汚れ防止シートが取り付けられている。
その汚れ防止シートを外して、汚れ防止シートが取り付けられていた腰掛の背もたれ上部のフック（かぎ状）面の面ファスナーを利用して、枕に取り付けてあるループ（輪状）面の面ファスナーを使用した着脱シート、又はループ（輪状）面とフック（かぎ状）面が入り混じった面ファスナーを使用した着脱シートを噛み合わせて枕を固定させる。
枕に取り付けた着脱シートは、腰掛の背もたれの上部に既設されている面ファスナーに必ず取り付けられるようにするには、着脱シートがループ（輪状）面とフック（かぎ状）面の入り混じった面ファスナーで構成されているものがベターであるが、現状は、乗り物の腰掛の背もたれ上部にはフック（かぎ状）の面ファスナーが取り付けられているのが殆どであり、ループ（輪状）面の面ファスナーを使用した着脱シートでも枕を固定させることが出来る。
汚れ防止シートは、枕の着脱シートにより枕の上にに再び取り付ける事が出来、これによりその機能を果たすことが出来る。
【考案の効果】
【０００５】  腰掛の背もたれの上部に既に取り付けられている汚れ防止シートを外し、その面ファスナーをそのまま利用するので、枕の着脱が非常に簡単で誰にでもに出来る。
枕の着脱シートがループ（輪状）面とフック（かぎ状）面の入り混じった面ファスナーで構成されている場合は、腰掛の上部に取り付けられている既設の面ファスナーがフック（かぎ状）面でもループ（輪状）面でも関係なく取り付けることが出来、しかも着脱シートの大きさの範囲であれば、上下、左右どこにでも自由にスライドして取り付けることができる。
枕が背もたれに固定され、しかも、枕の中央部が凹状になっており、頭が包み込まれるようになるので、睡眠中無意識に頭が左右に動いても、乗り物が激しく揺れても、頭が安定していて、疲れが癒され、快眠が約束される。
枕の中央部がくぼんで薄くなっているので二つ折に出来、持ち運びに便利である。
【考案を実施するための最良の形態】
【０００６】  この考案による枕は図１に示すとおり枕に着脱シートが取り付けられ中央部が凹状になっている。図２、図３で示すように枕にループ面とフック面の入り混じった面ファスナーで構成された着脱シートが取り付けられている。図４で示すように腰掛の背もたれの上部に着脱シートで、枕が固定されている。
【図面の簡単な説明】
【０００７】
【図１】      本考案の斜視図である。
【図２】      本考案の背面図である。
【図３】      本考案の側面図である。
【図４】      本考案の正面図である。
【図５】      本考案の使用中の斜視図である
【符号の説明】
【０００８】    １    枕に取り付けた着脱シート
２    枕の底部
３    枕の側部
４    腰掛の背もたれ上部に本考案の枕が固定された状態
【図１】
0003120427.tif 000003
【図２】
0003120427.tif 000004
【図３】
0003120427.tif 000005
【図４】
0003120427.tif 000006
【図５】
0003120427.tif 000007
【手続補正書】
【提出日】平成17年12月27日(2005.12.27)
【手続補正１】
【補正対象書類名】実用新案登録請求の範囲
【補正対象項目名】全文
【補正方法】変更
【補正の内容】
【実用新案登録請求の範囲】
【請求項１】
枕を乗り物の腰掛の背もたれの上部に固定させるため、面ファスナーを使用した着脱シートを取り付けた枕。
【請求項２】
枕に取り付けられている着脱シートが、ループ（輪状）面の面ファスナーで構成されている請求項１に記載されている枕。
【請求項３】
枕に取り付けられている着脱シートが、ループ（輪状）面とフック面（かぎ状）面の面ファスナーが、入り混じって構成されている請求項１に記載されている枕。
【請求項４】
枕に取り付けられている着脱シートが、フック（かぎ状）面の面ファスナーで構成されている請求項１に記載されている枕。
【請求項５】
枕に取り付けられている着脱シートが、凹、凸の面ファスナーで構成されている請求項１に記載されている枕。
【請求項６】
枕の中央部が凹状になっていることを特徴とする請求項１から５のいずれか１項に記載されている枕。
(57)【要約】      （修正有）【課題】表、裏面を無くし両面の使用が可能なため使用不能のプラスチックモールが無くなる。【解決手段】上枠１と下枠２をそれぞれの左右側枠３，４の接合部５，６において、接合して構成する断面扁平な四角形のプラスチックモールであって、接合部５，６を左右側枠の中間部であって、左右対称の位置に設けたことを特徴とするプラスチックモール。【選択図】図１
0003120421.tif 000002
【実用新案登録請求の範囲】
【請求項１】
プラスチックモールの裏、表を区別なく使用できる。
【考案の詳細な説明】
【考案の効果】
【０００１】両面使用のプラスチックモールは、切断面に角度をつけて切断した場合でも、使用不能のプラスチックモールが無くなり、資源の削減に効果がある。
【図面の簡単な説明】
【０００２】
【図１】この考案の一実施形態を示す斜視図である。
【符号の説明】
【０００３】▲１▼  プラスチックモール
▲２▼  接合部分
【図１】
0003120421.tif 000003
【手続補正書】
【提出日】平成17年12月20日(2005.12.20)
【手続補正１】
【補正対象書類名】実用新案登録請求の範囲
【補正対象項目名】全文
【補正方法】変更
【補正の内容】
【実用新案登録請求の範囲】
【請求項１】
上枠１と下枠２をそれぞれの左右側枠３、４の接合部５、６において、接合して構成する断面扁平な四角形のプラスチックモールであって、前記接合部５，６を左右側枠の中間部であって、左右対称の位置に設けたことを特徴とするプラスチックモール。
【手続補正２】
【補正対象書類名】明細書
【補正対象項目名】全文
【補正方法】変更
【補正の内容】
【考案の詳細な説明】
【技術分野】
【０００１】この考案は、プラスチックモールに関する。
【背景技術】
【０００２】従来のプラスチックモールは下枠内面に側壁があり、上枠がコの字型した形状で下枠を包みこむ様な形状である。
【考案の開示】
【考案が解決しようとする課題】
【０００３】プラスチックモールを斜めに切断し、拝み合わせて使用する場合、角度調整の為のロスを無くすことを課題とする。
【考案が解決するための手段】
【０００４】以上の課題を解決するために、プラスチックモールの断面形状を接合部を対称とし両面使用できることを特徴とするプラスチックモールである。
【考案の効果】
【０００５】両面使用のプラスチックモールは、斜めに切断したときに、そのまま片方を裏返して、拝み合わせて使用することができて資源の削減に効果がある。
【図面の簡単な説明】
【０００６】
【図１】この考案の一実施形態を示す斜視図である。
【符号の説明】
【０００７】１  プラスチックモール上枠
２  プラスチックモール下枠
３  左側枠
４  右側枠
５  接合部
６  接合部
【手続補正３】
【補正対象書類名】図面
【補正対象項目名】全図
【補正方法】変更
【補正の内容】
【図１】
0003120421.tif 000004
(57)【要約】      （修正有）【課題】ペットボトルやプラクルの回收時に、中身が軽いため風に飛ばされて散乱するのを防止する。【解決手段】ペットボトル、プラクル收集袋の一部分に粘着機能を持たせて、順に貼り付けながら回收場所に置く様にすれば、飛び散りを防ぐ事が出来る。【選択図】図１
0003120423.tif 000002
【実用新案登録請求の範囲】
【請求項１】
0003120423.tif 000011
【請求項２】
0003120423.tif 000012
【考案の詳細な説明】
0003120423.tif 000003
【技術分野】
【０００１】
0003120423.tif 000004
【背景技術】
【０００２】飛び散りを防ぐ工夫のされたごみ收集袋は無い。
【考案の開示】
【考案が解決しようとする課題】
【０００３】
0003120423.tif 000005
あっても飛び散って困っているのが現状である。
【課題を解決するための手段】
【０００４】
0003120423.tif 000006
の袋とし、その袋で集積場所に置く時、既に置かれている袋に次々と貼り付けながら置いていくと飛び散りを防ぐ事が出来る。
【考案の効果】
【０００５】  置かれた数多い袋が一ツの塊の様になっているので飛び散りが防げる。
0003120423.tif 000007
【考案を実施するための最良の形態】
【０００６】
0003120423.tif 000008
決めると良い。又、マークは粘着テープの付いている（仮に裏面とする）反対の側（表面）に大きく目立つ様に明記すると良い。
【図面の簡単な説明】
【０００７】
【図１】 
0003120423.tif 000009
【図２】  図１の裏面に粘着機能を持たせた收集袋。
【符号の説明】
【０００８】１      收集袋
0003120423.tif 000010
４      粘着シール
５      シールを剥がす状態
【図１】
0003120423.tif 000013
【図２】
0003120423.tif 000014
【手続補正書】
【提出日】平成17年12月16日(2005.12.16)
【手続補正１】
【補正対象書類名】実用新案登録請求の範囲
【補正対象項目名】全文
【補正方法】変更
【補正の内容】
【実用新案登録請求の範囲】
【請求項１】
ごみ袋の外側の一部分に粘着シールを設けた“プラ・ペツトボトル”収集袋。
【請求項２】
請求項１に記載の収集袋において、“プラ”“ペツトボトル”のマークを明記した“プラ・ペツトボトル”専用収集袋。